(57)【要約】【課題】頭部から腰部にかけて一定の傾斜角を維持でき、胃酸及び胃内容物が食道に逆流することを少なくする逆流性食道炎緩和装置を提供する。【解決手段】本発明の逆流性食道炎緩和装置は、頭部から腰部までの間に配置し、仰臥位での頭部を腰部よりも高くすることで、胃酸及び胃内容物が食道に逆流することを少なくし、頭部から腰部を載置する天板１０と、天板１０の頭部側に配置された背板２０と、天板１０の両端に配置された一対の側板３０とを有する。天板１０の傾斜角を、水平面に対して４度から８度の範囲とした。【選択図】  図７
2018027179.tif 000002
【特許請求の範囲】
【請求項１】
頭部から腰部までの間に配置し、仰臥位での前記頭部を前記腰部よりも高くすることで、胃酸及び胃内容物が食道に逆流することを少なくする逆流性食道炎緩和装置であり、
前記頭部から前記腰部を載置するための天板と、
前記天板の前記頭部側に配置された背板と、
前記天板の両端に配置された一対の側板と、を有し、
前記天板の傾斜角を、水平面に対して４度から８度の範囲としたことを特徴とする逆流性食道炎緩和装置。
【請求項２】
前記天板を桐材とし、
前記背板及び前記側板を杉材とし、
前記側板を三角材とし、
前記側板の傾斜辺及び前記背板の天端に前記天板が接合されることを特徴とする請求項１に記載の逆流性食道炎緩和装置。
【発明の詳細な説明】
【技術分野】
【０００１】
本発明は、胃酸及び胃内容物が食道に逆流することを少なくする逆流性食道炎緩和装置に関する。
【背景技術】
【０００２】
食道と胃とは、下部食道括約筋によって通常は閉じている。下部食道括約筋は、食物を飲み込むことで開き、食物を胃に送り込む。
胃では、胃酸と胃液が分泌されている。胃液は、食物の中に含まれるタンパク質を分解して小腸で吸収されやすくする。
しかし、胃から食道への逆流が生じると、食道の粘膜がただれ、胸やけや呑酸などの不快な症状が起こる。
なお、例えば、特許文献１から特許文献３では、頭部を高くし背中を傾斜させる寝具やマットが提案されている。
特許文献１は、腹部下面から背骨上部を反らせる寝具であり、胸を張って大きく呼吸し、腰をのばし良い姿勢をとることを目的としたものである。
特許文献２は、寝返りや横向きになることを防ぐことを目的とした背筋安定用マットである。
特許文献３は、頸椎の整形を行う場合に使用される頸椎修正器である。
【先行技術文献】
【特許文献】
【０００３】
【特許文献１】特開２００４−２９８６０３号公報
【特許文献２】実用新案登録第３０５７７１１号公報
【特許文献３】実願昭５６−１２３７１号（実開昭５７−１２６２１４号）のマイクロフィルム
【発明の概要】
【発明が解決しようとする課題】
【０００４】
特許文献１から特許文献３は、胃酸及び胃内容物が食道に逆流することを少なくする逆流性食道炎緩和装置ではない。例えば特許文献１から特許文献３のようにクッション材や緩衝材では、頭部から腰部にかけて一定の傾斜角を保ちにくい。
【０００５】
そこで、本発明は頭部から腰部にかけて一定の傾斜角を維持でき、胃酸及び胃内容物が食道に逆流することを少なくする逆流性食道炎緩和装置を提供することを目的とする。
【課題を解決するための手段】
【０００６】
本発明の逆流性食道炎緩和装置は前記課題を解決するべく、頭部から腰部までの間に配置し、仰臥位での前記頭部を前記腰部よりも高くすることで、胃酸及び胃内容物が食道に逆流することを少なくする逆流性食道炎緩和装置であり、前記頭部から前記腰部を載置するための天板と、前記天板の前記頭部側に配置された背板と、前記天板の両端に配置された一対の側板と、を有し、前記天板の傾斜角を、水平面に対して４度から８度の範囲としたことを特徴とする。
【発明の効果】
【０００７】
本発明の逆流性食道炎緩和装置においては、頭部から腰部にかけて一定の傾斜角を維持でき、胃酸及び胃内容物が食道に逆流することを少なくすることができる。
【図面の簡単な説明】
【０００８】
【図１】本発明の逆流性食道炎緩和装置の一実施の形態の正面図
【図２】同逆流性食道炎緩和装置の平面図
【図３】同逆流性食道炎緩和装置の底面図
【図４】同逆流性食道炎緩和装置の右側面図
【図５】同逆流性食道炎緩和装置の左側面図
【図６】同逆流性食道炎緩和装置の背面図
【図７】同逆流性食道炎緩和装置の斜視図
【発明を実施するための形態】
【０００９】
次に、本発明の実施の形態について図面を参照して説明する。
図１は本発明の逆流性食道炎緩和装置の一実施の形態の正面図、図２は同逆流性食道炎緩和装置の平面図、図３は同逆流性食道炎緩和装置の底面図、図４は同逆流性食道炎緩和装置の右側面図、図５は同逆流性食道炎緩和装置の左側面図、図６は同逆流性食道炎緩和装置の背面図、図７は同逆流性食道炎緩和装置の斜視図である。
【００１０】
本実施の形態による逆流性食道炎緩和装置１は、天板１０と、背板２０と、一対の側板３０とを有する。
【００１１】
天板１０は、人体（使用者）の頭部から腰部が載置される。天板１０は、第１の天板１０ａ、第２の天板１０ｂ、及び第３の天板１０ｃからなる。以下、単に第１の天板１０ａ側を天板１０の頭部側という場合がある。各天板１０ａ〜１０ｃは、幅が８００ｍｍ、奥行きが２３０ｍｍ、及び厚さが１２ｍｍである。第１の天板１０ａと第２の天板１０ｂとの間には５．６ｍｍの隙間が設けられている。第２の天板１０ｂと第３の天板１０ｃとの間には５．６ｍｍの隙間が設けられている。天板１０には、例えば桐材が用いられる。使用時においては、第１の天板１０ａに人体の頭部が載置され、第３の天板１０ｃに人体の腰部が載置される。
背板２０は、天板１０の頭部側に面方向が鉛直となるように配置される。背板２０は、天板１０の傾斜を支持する。背板２０には、幅８００ｍｍ、高さ５７ｍｍ、及び厚さ１２ｍｍの杉材を用いる。
一対の側板３０は、天板１０の両端に面方向が鉛直となるように配置される。各側板３０は、奥行き６８２ｍｍ、高さ５７ｍｍ、及び厚さ４５ｍｍの三角材である。側板３０には、例えば杉材が用いられる。
【００１２】
天板１０は、側板３０の傾斜辺３０Ａ及び背板２０の天端２０Ａと接合される。天板１０は、例えば、接着剤により側板３０の傾斜辺３０Ａ及び背板２０の天端２０Ａに固定された後に、ビス又はタッカー４０にて側板３０の傾斜辺３０Ａに増し留めする。
第１の天板１０ａと背板２０との接合部は、背板２０の斜めカットされた天端２０Ａに第１の天板１０ａを突きつけされている。
第３の天板１０ｃの端部は、一対の側板３０よりも５ｍｍ突出させている。第３の天板１０ｃの先端（人体の腰部側）に天板のみが存在することにより、側板３０の厚みを省略したためである。これにより、使用者が横たわった際に、腰部に当たる箇所が水平面との連続性を保ち、使用性を向上することができる。
【００１３】
本実施の形態による逆流性食道炎緩和装置１は、人体の頭部から人体の腰部までの間に配置し、仰臥位での頭部を腰部よりも高くすることで、胃酸及び胃内容物が食道に逆流することを少なくする。
仰臥位での頭部を腰部よりも高くするために、天板１０の傾斜角は、水平面に対して４度から８度の範囲とすることが好ましく、水平面に対して５度から７度の範囲とすることが更に好ましく、特に水平面に対して６度とするのが好ましい。
なお、本実施の形態では、天板１０、背板２０、及び側板３０に木材を用いることで、通気性に優れているが、所定の強度を有することで撓みがなく一定の傾斜角を維持できれば、樹脂材を用いることもできる。
本実施の形態による逆流性食道炎緩和装置１によれば、頭部から腰部にかけて一定の傾斜角を維持でき、胃酸及び胃内容物の食道への逆流を防止できる。
【００１４】
このような逆流性食道炎緩和装置１は、敷き布団の下に設置して用いることができる。
【符号の説明】
【００１５】
１０  天板
２０  背板
２０Ａ  天端
３０  側板
３０Ａ  傾斜辺
【図１】
2018027179.tif 000003
【図２】
2018027179.tif 000004
【図３】
2018027179.tif 000005
【図４】
2018027179.tif 000006
【図５】
2018027179.tif 000007
【図６】
2018027179.tif 000008
【図７】
2018027179.tif 000009